(57)【要約】 【課題】従来の携帯装置は、家庭電器配線アダプタ以外の充電装置は無く、急速充電装置も無く、複雑なゲームを携帯で楽しむ事は出来なかった。【解決手段】自動充電池及びブラック炭素軽水素内蔵シリコンソーラーパネルは従来通り更に少ない発電電気を無駄無く急速充電出来る圧電素子4電子磁気分割装置充電技術を使用したスプリング圧電素子鉄球打撃発電の紹介と軽水素内蔵圧電素子入りダイナモ装置の手振り発電機の紹介及び急速充電の説明の著作権原本。【選択図】図1
2012170063.tif 000002
【特許請求の範囲】
【請求項１】
本先知的所有財産の携帯電話の超薄型ダイナモ装置は、軽水素内蔵の圧電素子磁石体を超薄型ダイナモの中心部に内蔵して超薄型ステンレスなどを被せたダイナモ発電電気打撃で、軽水素内蔵圧電素子発電が出来る超薄型軽水素内蔵圧電素子ダイナモ増幅発電装置を内蔵した携帯電話装置。
【請求項２】
本先知的所有財産の携帯電話は、ダイナモ発電した電気を急速充電する為に圧電素子4電子磁気分割装置を使用する事によって充電池に充電する電気をスムーズムに充電する為に、電気中から、電気抵抗を取り除ける圧電素子4電子磁気分割装置を積載内蔵した携帯電話装置。
コメント
2008年8月9日(土)PM24時3分41秒本日はここまでとする。美馬牛カンキチ。
2008年8月10日AM9時11分34秒秋の風の美馬牛市街地そして雲の向きが、南から北へ変わる頃そして、水竜と風竜の二つの竜そして大雪山見えしそして再び風はまた夏の日の四つの竜が一つになっているあの火竜そして時間の時の竜は、時間の竜となりてそして空竜と共に未来を見つめ直したい。今度こそ特許庁裁判は始めなければならない先知的所有財産公開と先知的所有財産の海外技術先行調査公開と、特許法改正に対して裁判所でしか争えない現世を変えるのもまた我の通過点としか書けない事実は地竜の本当の意味を後に時竜の出会いに書く事となる。美馬牛カンキチ。
【請求項３】
本先知的所有財産の携帯電話は、昼間使用しない時は、携帯電話の後部に取り付けた太陽光度の瞬間吸収を最高値まで、高める為にシリコンと炭素を練り合わせ合成したブラック炭素シリコンそして、更にシリコンの発電をます為に、軽水素をN型シリコンに内蔵させた日中の太陽光度充電だけで、充電池充電出来るソーラーパネル構造にした携帯電話装置。
【請求項４】
本先知的所有財産の携帯電話は、充電池は、水素中の重水素の取り除き量を調整した半軽水素を取り入れた重水素取り除き調整の軽水素とニッケル金属を主体とした充電池構造の充電池を備えた携帯電話装置。
【請求項５】
本先知的所有財産の携帯電話は、日中に携帯使用が、多くて夜の充電量不足を補う為に、圧電素子磁石体のスプリング磁気体金属打撃発電方式を取り入れた二つの鉄球が自然に揺れる事または、強制的に揺する事で発電し更に、圧電素子4電子磁気分割装置を積載使用する事によって、圧電素子磁石体のスプリング磁気体金属打撃発電した電気を無駄を少なくした急速充電方式によって、太陽の光りが無い夜の充電池急速充電装置を積載した携帯電話装置。
【請求項６】
本先知的所有財産の携帯電話は腰ベルト式のゲーム専用の2連振り子自動充電池内蔵の表裏両面の卵型空洞MD装置に対応出来るゲーム受信機とゲーム進行ボタン装置を備えた未来系のアンテナ送受信構造のゲーム装置対応出来る携帯電話装置。
コメント
2008年8月9日(土)AM10時48分19秒佐藤商店にコーラを買に行く、未来永劫羽ばたく事の出来る旅人に出会う。美馬牛カンキチ。
【請求項７】
本先知的所有財産の携帯電話は、四つの軽水素内蔵ブラック炭素シリコンソーラーパネル充電と圧電素子スプリング鉄球打撃発電充電と軽水素内蔵圧電素子入りダイナモ発電充電と家庭電源世界最速充電が、出来る携帯電話装置。
【請求項８】
本先知的所有財産の携帯電話は、圧電素子磁石体磁気読み込みスキャナとカメラ読み込みの二つの紙などに書かれた絵もしくは文字を記憶して電波送受信出来る携帯電話装置。
【請求項９】
本先知的所有財産の携帯電話は、二つの液晶パネル装置を備えた携帯電話装置。
【請求項１０】
本先知的所有財産の携帯電話は、ライト装置が内蔵された携帯電話。
【請求項１１】
本先知的所有財産の携帯電話は、緊急時にワンタッチスイッチボタン連絡と、緊急連絡場所が設定出来る携帯電話装置。
コメント
2008年8月12日PM20時4分33秒自動電池及び2連振り子充電池までの説明は、解っていただけたと思いますが、急速充電池の火がつかないメドがついた事と急速充電池の圧電素子4電子磁気分割装置を使用した急速充電方法と軽水素内蔵圧電素子磁石体内蔵型ダイナモ装置などの新しい発明によって、今まで陰に隠れていた手振り型ダイナモ発電方法でも、急速充電出来るメドがたち更にスプリング圧電素子鉄球打撃発電方式でも、圧電素子4電子磁気分割装置の使用と半軽水素ニッケル充電池つまり水素中の重水素の取り出し調整によって、燃えない水素ニッケル以上の急速充電池の開発メドがたった為、今後携帯電話などの電気電池切れ心配は、完全に無くしたと言える先発明者美馬牛墫野和夫ペンネームカンキチ及び
ニヤン少しでも早く日本の国と都道府県市町村の借金返済を行いたいのが心境で御座います。
【発明の詳細な説明】
【技術分野】
【０００１】
本先発明は、一般家庭の携帯電話の急速充電とワンタッチ緊急連絡ボタンと夜道の為のライト装置を積載した携帯電話装置に関する説明。
【背景技術】
【０００２】
従来の一般社会に普及して入る携帯電話は、充電式の携帯電話がほとんどで有る。
(例えば、特許文献1参照。)(特許文献2参照。)(特許文献3参照。)。
【０００３】
以下図1~図5により従来の携帯電話との違いを図に基ずいて説明する。
図1に於いて、(1)は多機能携帯装置で有り、インターネット機能も備わった携帯電話装置で有り、(2)は、携帯電話のアンテナ装置で有り、(3)はテレビアンテナと携帯アンテナの切り換えアンテナ装置で有り、(4)は液晶装置で有り、(5)は液晶カバーで有り、(6)は携帯カメラ装置で有り、(7)はマイクで有り、(8)はスイッチボタンで有り、(12)は新登場のゲーム直進ボタンで有り、(13)は新登場のゲームバックボタンで有り、(14)は、新登場のゲームジャンプボタンで有り、(15)は新登場のゲーム戦闘ボタンで有り、(44)は新登場のゲーム進行切り換えボタンで有り、(40)は新登場の携帯ライト装置で有る。                          
【０００４】
図2に於いて、(9)は新登場のゲーム電波受信装置回路基板で有り、(10)は新登場の半軽水素ニッケル充電池Aで有り、(11)は新登場の半軽水素ニッケル充電池Bで有り、(21)は新登場のテレビ回路＆合成ネオン充電池素子1Cチップ回路で有り、(39)は新登場の携帯電話のスキャナで有り、(40)は新登場の携帯電話ライト装置で有る。 (例えば、特許文献1参照。)。
【０００５】
図3に於いて、新登場の圧電素子発電池説明で有る。
従って、(17)は新登場の圧電素子4電子磁気分割装置で有り、(18)は新登場の鉄球装置で有り、(19)は新登場のスプリング圧電素子磁石体発電装置で有り、(20)は、新登場の電子圧電素子磁石体固定磁気電気誘導装置で有り、(22)は新登場の銅板電子誘導キャッチ体装置で有り、(23)は、新登場の圧電素子補助発電装置の電子磁気分割誘導装置の圧電素子磁石体装置で有る。(例えば、特許文献2参照。)。
【０００６】
図3に於いて、新登場の携帯電話ブラック軽水素内蔵炭素シリコンソーラーパネル説明を始める。
従って、(24)は櫛形の金属電極で有り、(25)は新登場のブラック炭素シリコンで有り、(26)はN型シリコンで有り、(27)は新登場のシリコン内蔵型の軽水素で有り、(28)は電極装置の新登場のブラック軽水素内蔵炭素シリコンソーラーパネル装置で有る。 
(例えば、特許文献1参照。)。
コメント
2008年8月9日PM17時23分12秒から夕食の段取りで有る。 
2008年8月9日PM20時2分52秒から再び書き始める美馬牛カンキチ。
【０００７】
図4において(29)は今までに無い最新技術の超薄型軽水素内蔵圧電素子入りダイナモ装置で有り、(30)は、振り子装置で有り、(31)は世界最速の急速充電の圧電素子4電子磁気分割装置で有り電気中の電気抵抗を取り除く装置で有り、(33)は振り子重り装置で有り、高出力ダイナモを重り作動ダイナモ回転発電させる為の装置構造説明で有る。
【０００８】
図5に於いて(2)は携帯波アンテナで有り、(34)は世界最小の電気消費で磁極切り換え作動するレールモーターで有り、(35)はレールモーターを磁極切り換えする為のインバーター装置で有り、(36)は世界初の半永久作動の2連振り子型自動充電池で有り、(37)は最新技術の両面表裏MD取り入れ口で有り(38)は最新技術の卵型穴空きの表裏両面のMDで有り傷が付かないのが特徴で有る。(例えば、特許文献1参照。)(特許文献2参照。)。(特許文献3参照。)。
【先行技術文献】
【特許文献】
【０００９】
【特許文献１】特開2006ー254697号広報
【特許文献２】特開2004ー304992号広報
【特許文献３】特開2003ー328925号広報
【発明の概要】
【発明が解決しようとする課題】
【００１０】
以上述べた従来の携帯との違いでは充電池は携帯に内蔵されて入るが充電池の充電技術を採用した携帯電話は、日本の公開市場には一切販売されていない事実で有る。
【００１１】
先発明はこのような従来の構成が有していた問題を解決しようとするもので有り、圧電素子4電子磁気分割装置の世界最速急速充電技術と半軽水素ニッケル充電池の水素ニッケルを上回る最速充電充電池技術を得る事でわずかな発電する電気エネルギーを無駄無く充電
して、充電池の電気切れ対策を目的とした携帯電話装置で有る。
【課題を解決するための手段】
【００１２】
そして、本先知的所有財産の先発明は、上記目的を達成する為に世界最速充電技術の特開2004ー304992号広報に書かれている説明通り、電気中の電気抵抗を圧電素子磁石体にプラスとマイナスを通し、圧電素子4電子磁気分割すなわち、圧電素子磁石体の圧電素子磁力の弱い部分からプラスとマイナス電気は流れ、電気抵抗の有る電気は、圧電素子磁気体の弱い中央部分に設けられて入る電気引き込みプラス圧電素子磁石体配線及びマイナス圧電素子磁石体配線からは電気抵抗の有る電気つまり圧電素子磁石磁気の弱い電気が流れる事となる。
【００１３】
従って、圧電素子磁石体の両端部分に設けられて入るプラス圧電素子磁石体配線とマイナス圧電素子磁石体配線には、圧電素子磁石体の一番磁気力の強いスピードの早い電気が流れる事となる圧電素子磁石特有の説明で有り、電気抵抗の有る電気は、圧電素子磁石体の中心部の電気配線に流れ、電気抵抗の無いスムーズムな強い圧電素子磁石体磁気には電気抵抗の無い電気が流れる事実になる。
【００１４】
コメント
2008年8月9日PM23時59分美馬牛カンキチここまで書いて眠る事とする。
2008年8月10日AM10時34分43秒秋晴れの中ひらりそよぐ風大雪山白雲の羽衣なびかせつ風もまたなびき行くそのまた先もまた告げ行く季節を待つ美馬牛市街地カンキチ。
【００１５】
また、第2の課題解決手段は、ソーラーパネルのN型シリコン材を炭素合成シリコンのブラック色の太陽光が、一番吸収しやすい色にする事で、ブルー色の太陽光吸収度を更に高めたブラック炭素シリコンソーラーパネルで有る。
更に、新技術として、N型シリコンの中心部に軽水素を内蔵または軽水素とN型シリコン練り合わせ合成の軽水素シリコンにする技術によって炭素シリコンの太陽光熱吸収度率を上げ
る為にソーラーパネル構造を黒系のブラック炭素シリコン合成材の中心部に軽水素を内蔵はソーラーパネル発電史上、最高発電量が間違い無いソーラーパネル発電技術説明で有る。
追加補助第1説明。
例えば、電気湯沸かし器及びガス湯沸かし器及び木炭湯沸かし器及び石炭湯沸かし器及び原子力発電の沸騰水湯沸かし機及びゴミ焼却炉の湯沸かしタービン内蔵及びアスフアルトの地中に取り付けたり、車などに取り付けたり、地熱温度温水装置に軽水素内蔵シリコンを取り付ける事によってタービンダイナモ回転以外の熱吸収発電の軽水素内蔵シリコン発電の応用発電は、あらゆる温度上昇になる部分に取り付ける事で、温度熱の熱吸収の軽水素発電技術は、あらゆる分野の応用が期待される新発電技術紹介で有る。
【００１６】
また、第3の課題解決手段は、太陽光エネルギーの日射が無い時間帯の補助発電方法として、今まで日本市場に一度もお目見えしなかった二列重り鉄球とスプリング圧電素子磁石体を使用した圧電素子の鉄球の圧電素子打撃発電で有る。
この場合、微量発電だが圧電素子4電子磁気分割装置を使用する事で、電気中の電気抵抗を取り除いた充電技術方法が、確立している為、微量電気発電技術に於いての充電率を向上させた為、通常では余り充電しない圧電素子を使用した充電でも、補助発電充電可能な技術にする事が、出来たと言える圧電素子の鉄球打撃スプリング圧電素子発電説明で有る。
【００１７】
また、第4の課題解決手段は、ダイナモ発電に対して高出力ダイナモ対応有り、すなわち通常ダイナモ発電以上のダイナモ発電としての高出力ダイナモ発電説明は、通常ダイナモの中心部を削り取り、新たに軽水素と圧電素子磁石体を練り合わせ合成高圧縮した軽水素圧電素子磁石体を、ダイナモの中心部に内蔵させてカバーを掛けてボルトとナット止めした軽水素圧電素子磁石体入りダイナモ高出力発電装置にする事で、ダイナモが発電した電気によって軽水素内蔵圧電素子磁石体が、電気打撃圧電効果発電になって、通常ダイナモより上の発電出来る新しい軽水素内蔵圧電素子入りダイナモ発電装置説明で有る。             
また、第5の課題解決手段は、いかに発電した電気を無駄なく急速充電するかの充電技術にかかって入る為、水素ニッケル充電池以上の急速充電池開発の為に、水素中の重水素の取り除き調整を行い、テレビマスコミ紙上発表の燃える充電池の汚名を取り除いた水素中の重水素の電池内残量の調整を、急速充電した場合熱抵抗で、燃えない電池にする為重水素取り除き比率を燃えない電池重水素取り除き比率調整した新技術の半軽水素ニッケル充電池技術説明。      
【００１８】
また、第6の課題解決手段は携帯電話などに使用される液晶テレビの画像を奇麗に見る為に、テレビ画像回路にネオンガスと充電池素子を合成させたネオン充電池素子体IC回路チップをテレビ回路に内蔵または接続する事で、テレビ電波の乱れた画像電波と音声電波を電気の流れに沿った画像ガスの充電池合成素子体は、電波の流れを電気粒子正常化させる為のネオン充電池素子体のIC回路チップの画像修正装置説明で有る。
コメント
2008年8月10日PM13時37分36秒昼食のテンプラ定食カンキチ流で食べ生姜の気付けデザートを作り再び書き始める美馬牛カンキチ。
【００１９】
また、第7の課題解決手段は携帯電話などに使用される液晶テレビの磁波の乱れによるテレビ電波の乱れを調整する為の圧電素子磁石体の圧電素子磁石体の磁気力が弱い中心部分にプラステレビ映像波配線とマイナステレビ映像波配線を取り付ける事によって、乱れた電波の波は、圧電素子磁石体の正常な磁気の流れの構造に沿って電波が流す事によって、磁波によって乱れたテレビ画像電波は圧電素子磁石磁気正常化したと言う事に事実上此のような電波修正装置の役目を果たす。
更に、テレビ音声波も磁波の乱れから生ずるテレビ音声の乱れは同じく圧電素子磁石体の中央部にプラスとマイナスそれぞれ一本ずつの配線と圧電素子磁石体の恥にプラスとマイナスのテレビ音声引き込み配線をそれぞれ設ける事で、テレビ音声波の圧電素子磁気調整出来たテレビ音声波を聞く事が出来るようになるテレビ映像波及び音声波の圧電素子磁石体の電波修正装置説明になる。  
【００２０】
また、第8の課題解決手段は、二つの充電池とスプリング圧電素子磁石体の鉄球打撃圧電素子の圧電効果新技術発電など、軽水素内蔵のブラック炭素シリコン発電新技術の圧電素子4電子磁気分割の電気中の電気抵抗取り除き新技術による、世界最速急速充電技術によって超小型充電池に、いつでも追加急速充電出来る二つの超小型充電池携帯構造説明で有る。  
【００２１】
また、第9の課題解決手段は、携帯電話の大きさでは、拠り複数のゲーム構成を有したゲームを、携帯電話で楽しむ場合、携帯電話を大きくしなければならないゲーム機自体の大きさから、携帯電話に現在の技術では、まだ無理な為、腰ベルト式の表裏両面のMD装置を設置したのが一度にたくさんのゲームを楽しむ事が出来る新しいMD技術として卵型空洞を両面に設けたCDとして、MDに空洞を設ける構造にする事で、CD対応を計った表裏両面MD装置作動のゲームを携帯波ゲーム電波送信及び無線波ゲーム電波送信の携帯電話受信などの弱無線波などの説明で有る。
コメント
2008年8月10日PM14時57分少し休憩をする美馬牛カンキチ。
2008年8月10日PM16時11分11秒少しリフレッシュして再び書き始める美馬牛カンキチで有る。
【００２２】
また、第10の課題解決手段は、携帯電話のモーターを圧電素子複数配線磁石体の磁極切り換え型のインバータ制御で連続作動するレールモーターを積載したのが特徴の携帯電話モーター装置説明である。
【００２３】
また、第11の課題解決手段は腰ベルト設置型表裏両面MD装置の電源装置は、特開2006ー254697号公報の2連振り子型機械式発電機説明参照で有り、特開2003ー328925号公報の自動電池説明参照で有り、本先知的所有財産の急速充電技術が、確立した場合の半永久発電池機関の連続ダイナモ回転作動発電を説明した文章で有り、課題を解決する為の手段をとして、急速充電技術の確立が、携帯電話などの電気製品の連続した電気確保の説明を理解していただきたい。
【００２４】
また、第12の課題解決手段は、携帯電話にゲーム進行ボタンを4つ取り付けた点で有り、ゲーム直進ボタンで有り、ゲームバックボタンで複数の助太刀が追加出来る機能を持ったゲーム特殊装置積載可能で有り、ゲーム戦闘ボタンは、特殊ロボットと特殊戦闘用装置を積載可能な特殊装備積載可能で有り、ゲームジャンプボタンは特殊テレポーテイションボタンまたは二次元空間テレポーテイションまたは、三次元空間テレポーテイションまたは、四次元空間テレポーテイションスイッチボタン切り換え可能なゲームの進行を別の時間でゲーム進行出来るゲーム進行を次元変更で進める事の出来るゲームスイッチボタン装置を備えた
携帯電話。
【００２５】
また、第13の課題解決手段は、携帯電話に内蔵積載した圧電素子磁気読み込みスキャナ装置によって本及び辞書などのスキャナ読み取り、携帯電波文字画像転送が出来て、カードまたは表裏両面MDの腰ベルト型の収録再生装置に録画出来る機能を備えたスキャナ携帯電話装置。
先知的所有財産の名称説明二つの鉄球の振れによる圧電素子スプリング打撃充電と圧電素子4電子磁気分割装置の急速充電技術と水素から重水素の取り除き量調整によって水素ニッケル充電池より、急速充電を可能にした事によって緊急のコード家庭電気充電の心配を無くして、夜の夜道をライトの光りを照らして歩ける圧電素子二つの振り子玉装置発電池によって可能にした携帯電話。
先知的所有財産発明の経緯
先知的所有財産発明の経緯とは、特許法第一条では、発明考案の保護を、特許法で謳い発明の利用を図る事と書きながらの特許187条では、特許表示義務まで至ってないそればかりか、特許法の特許庁職員言い分は、先発明より後の発明に対して他の人間が発明の特許提出を、先発明者の特許提出を、特許庁にした場合、先発明横領が、特許法で、認められる。金の無い弱者に対しては、金と暇がなければ、特許提出など、いつになるかは解りませんなの言い方にも聞こえてくる特許庁の平等な人権になっていない、特許提出と特許認定と特開公開表示義務つまり先知的所有財産権の公開義務を、行わない特許庁のため、誰がいつ何処でどの様に発明したのかも、解らない状態のまま、弱者に先知的所有財産発明考案日の個人調査つまり、弱者に金を遣わすだけの特許法しか書かない、エリート大学出の考え方を、公開のテレビ局などで、個人それぞれから、話を聞く時代が実際に来てしまった事。
この事を踏まえて、現在まで、一般国民の著作権取り扱いは、国に証拠として、著作権請求しなければ他のものは、いくらでも真似をする傾向が、明らかであった。
1999年頃の4月末のNHKテレビ放送で、政治家が現在の子供達に今までの国と都道府県市町村の全額借金返済させるのテレビ発言で墫野和夫が、先知的所有財産の内の発明と考案の略図及び文章を、北海道知事に郵便手紙確認保管してもらう。この事は信用の有る民主党本部共産党及び朝日テレビなどにも、現在の子供達に借金苦を、味合わせないために、行った事である。
先知的所有財産公開提出の意図
特許法第79条(先使用による通常実施権)とは特許出願に係わる発明の内容を知らないで自らその発明をし、又は特許出願に係わる発明の内容を知らないでその発明をした者から知得して、特許出願の際現に日本国内に於いてその発明の実施である事業をしている者又はその事業の準備をしている者はその実施又は準備している発明及び事業の目的の範囲内に於いて、その特許出願に係わる特許権について通常実施権を有する。
特許出願に係わる発明の内容を知らないで自らがその発明をしとまず特許法に書かれているが、特許出願作品に対して特許庁が、出願と同時に審査請求つまり、同一特許作品を、いち早く特許庁は、職権義務公開しなければならないと言える。理由として、発明考案つまり、知的財産とは、先発明及び先考案及び先知的所有財産者が、同一の後発明又は後考案又は後知的財産によって先発明及び先考案及び先知的所有財産を、超えた同一発明の利益は、横領としか考えられない。
理由として、言い換えれば特許切れ又は著作権切れの先知的所有財産物に対して同じものを、作っても現在の法律では、違法とは、書いてないが、同一先知的財産権期限切れ商品を、複数の者が作った場合、国の財政経営に対してインフレとデフレを、同時に二つ作る事となり、知的所有財産権期限切れの商品を、国が作って国民全員に平等に配布しない限り所得の不平等の激しさはなお一層増す事となるおそれがある。
特許の内容を、知らずに出す事は、許される行為と書くならば、発明に対して先発明を、優先し先発明の保護の方法として、郵便物の領収書の改革として、相手の住所と氏名が、印刷されるべきである。
この方法は、発明考案印刷物郵便封筒日付確認の他、衛生時計時間の郵便物領収書を、作る必要がある。2008年5月1日AM1時9分美馬牛市街地自宅にてニャン カンキチ 
付け加えるならば、家に買いだめ切手又は他から戴いた切手などのポスト投函に対して証拠を、残す観点から、はがき又は封筒の表裏を、読み取って記録して、ポスト投函証明書を、発行出来るポストが未来社会では、こうなってほしい。ただし安いポストに限る。
インターネット発明先提出の場合、衛生時計文書自動書き込みのパソコンとポストを、国が国営の会社として作るべきである。
先発明及び先考案及び先知的所有財産の郵便物送付目的意図
2008年5月1日21時3分自宅美馬牛
知的所有財産とは、発明及び考案及び植物の新品種、意匠、著作権物その他の人間の創造的活動により生み出されるもの(発見又は解明かされた自然の法則又は現象であって産業上の利用可能性があるものを、含む。)商標、商号その他事業活動にもち入れられる商品又は役務を表示するもの及び営業秘密その他の事業活動に有用な技術上又は営業上の情報を言う。
確かに上記に述べたのが知的財産であるが、先発明日及び先考案日又は先意匠又は先著作権などの、日付が明白でなければ、現在の子供達に、国会議員が、国と地方の全額借金返済させる事を、国会議員が、テレビカメラの前で、言った事は、事実であった。
この事実に対して墫野和夫が、先発明及び先考案及び先意匠の事実を、郵便封筒日付消印永遠保存によって現在の子供達及びこれから、生まれてくる子供達を、救う事が、出来ると考えたからである。
先知的所有財産の個人先発明財産証明の現行2008年の法律と先発明と先考案保護に一番近い特許法の法律文書解釈
現在の特許庁職員の職務として、特許法第一条は、完全に発明の保護と考案の保護が、書かれている事実であっても、特許法39条(先願)同一の発明について異なった日に二つ以上の特許出願が、あった時は、最先の特許出願人のみが、その発明について特許を受ける事が、出来る。  
上記の特許法第39条(先願)に対して検証して見ます。
同一の発明について異なった日に二つ以上の特許出願が、あった時は最先の特許出願人のみが特許を、受ける事が出来る。
この場合特許提出が、異なった日であるから、先提出が、特許認定なのは、正しい。だが、同一発明の場合、先に発明していた事が、明らかに証明一例では、既に公開していて、他の者に先特許提出された事で、先発明の先知的所有財産の先発明権利を、失うとするならば、この世の中は、金があれば、後発明でも、貧乏人より、先に特許提出した者が、先知的財産言うなれば先発明の権利を、後発明が、奪う事となれば、莫大な先知的所有財産の横領又は奪う行為を、許す特許法になってしまうのが、残念である。
コメント
2008年8月10日PM22時7分50秒原本図面の番号入れをこれから始める美馬牛カンキチ。
2008年8月11日AM9時18分遅い朝食と秋晴れ晴天の美馬牛市街地
2008年8月11日AM9時47分再び書き始める美馬牛カンキチ。特許庁実用新案2004ー007250の水発電気の先行技術調査済み今度こそ海外の先行調査状態が分かるのが事実のはず。
【発明の効果】
【００２６】
上述したように本先知的所有財産の先発明の携帯電話は、急速充電可能なブラック炭素軽水素内蔵シリコンソーラーパネルを積載さらに圧電素子磁石体スプリングの鉄球打撃発電による小さな発電電気エネルギーを無駄無く充電する技術の圧電素子4電子磁気分割装置と半軽水素ニッケル充電池などの新技術対応によって他の携帯とは格段と離れた携帯電話の世界最速の充電技術を提供出来る。
【００２７】
また、本先知的所有財産の先発明の表裏両面卵型空間MDの収録再生新技術によって、傷が付かないゲーム装置を提供して、圧電素子4電子磁気分割装置によって世界最速の充電技術紹介と圧電素子磁石体の磁極切り換え型のインバータ制御作動出来る世界最省電気消費の複数圧電素子磁石体の複数配線と複数絶縁体だけで、インバータ圧電素子磁石体磁極切り換えによって連続回転作動するレールモーターによって世界で一番電気消費を少なくしたゲームを腰ベルト式の2連振り子型自動充電池積載の更なる世界最速充電技術応用のゲームを携帯電話で楽しむ事が出来る効果を発揮するもので有る。
【図面の簡単な説明】
【００２８】
【図１】携帯電話正面図。
【図２】携帯電話後面図及び二つ折中央正面構造図。
【図３】携帯電話圧電素子スプリング鉄球打撃発電説明図及びブラック軽水素内蔵炭素シリコンソーラーパネル説明図。
【図４】新しい手振りダイナモ発電装置説明図。
【図５】腰ベルト型MDゲーム作動装置。コメント2008年8月11日AM11時52分3秒休憩を取る。2008年8月11日PM13時56分大雪山の山々も白靄の中、雲も少なくからり晴れ上がってる美馬牛市街地カンキチより
【図６】2001年5月10日北海道道庁広報広聴第3ー37号の墫野和夫の先知的所有財産の先発明の先発明先考案原本及び後書き発明考案原本の郵便物受理証明書図。
【図７】1999年頃から2001年頃までに当時の呼び名永久電池と永久発電機積載に基ずいた当時北海道道庁の借金全額返済の為、計画して有った北海道道庁の予定会社見本図。
【図８】2001年4月30日後書き原本で有り、2001年2月4日から8日頃までの夜PM19時からPM21時過ぎに先考案して有った、通常ビデオ画像に自分の写真及び好きな人の写真の上下ノーマル信号画像とデジタル信号画像と左右ノーマル信号画像とデジタル信号画像と前後のノーマル信号画像とデジタル信号画像に対して更に人を頭の部分ノーマル信号画像とデジタル画像の上下ノーマル信号画像とデジタル信号画像及び左右ノーマル信号画像とデジタル信号画像及び前後ノーマル信号画像とデジタル信号画像に分けて、更に人の右腕全体部分のノーマル信号画像とデジタル信号画像と人の左腕全体部分のノーマル信号画像とデジタル信号画像と人の体の右足全体部分のノーマル信号画像とデジタル信号画像と人の左足全体部分ノーマル信号画像とデジタル信号画像の画像をそれぞれ上下画像及び左右画像及び前後画像のノーマル信号画像組み立て方式または、デジタル信号組み立て方式によって写真などの被写体画像を取り入れて組直し構成出来る、人の写真などの実写方式が一つと絵またはパンフレットの作り絵を人の写真と同じく分割組み立て方式で、行うゲーム構成の二通りを既に2001年2月上旬に考案して有ったゲーム構成の説明文章図。
【図９】2001年4月30日後書きの2001年2月上旬のゲーム構成図8と同じ見本説明文章図。
【図１０】2001年5月3日パソコンなどのウイルス防御対策の説明の一部分で有り携帯電話ウイルスは、まだ確認されていないが、将来を見据えてのウイルス防御一部分の対策説明文章図。
【図１１】2001年5月8日間でのブレスレット携帯電話図。
【図１２】2001年5月3日携帯電話のブレスレット電話の説明文章図。
【図１３】2001年5月3日携帯電話の後書きも含む携帯電話機能説明文章図。
【図１４】2001年5月3日後書き特に2001年2月4日頃の携帯電話カメラ機能の後書きなどを含めて、北海道の借金返済に対して当時携帯は一番重要視された分野で有り携帯電話の機能を過剰書きにした文章説明図。
【図１５】2001年5月7日後書き原本で有り2001年2月から3月上旬にかけてのテレビ放送でトンネル火災夜の同じくPM18時30分頃からPM21時30頃までに放映したテレビ事実画像対策として、先考案してあった板磁石モーターつまり現在のレールモーターの先考案及び先発明の、本当の発明日は、実際はそこに有るのですが、後書き説明文章図。
【図１６】2001年5月22日北海道道庁広報広聴第3ー54号の墫野和夫の先知的所有財産の先考案及び先発明及び後書き考案発明原本の郵便物受理書図。
【図１７】2001年5月18日後書きのレールモーター図で有り、電磁石の磁極切り替えのインバータ装置で連続回転作動するモーター説明図。
【図１８】2001年8月29日北海道道庁広報広聴第3ー192号の墫野和夫の先知的所有財産の先考案及び先発明及び後書き考案発明原本の郵便物受理書図。
【図１９】2001年7月22日後書きのレールモーターの電磁石磁極切り替えのインバータ制御でしか、現在の科学では連続作動させる事の出来ない電磁石磁極切り換え型のレール状に2列並べた複数電磁石体のモーター装置説明文章図。
【図２０】2001年7月22日後書きのレールモーターの電磁石磁極切り替えのインバーター制御でしか連続回転作動させる事の出来ないデザイン構造上の連続作動説明上電磁石磁極切り替え以上有り得ないモーター構造説明図。
【図２１】2001年7月22日後書きのレールモーターの電磁石磁極切り替えのインバータ制御モーターの使用用途説明文章図。
【図２２】2001年7月22日昔、携帯電話のバイブレイションを考えた事が、有ったが、特許提出は、その当時一切しなかった。今回北海道の借金返済の為、お金の掛からない携帯電話のバイブレイシヨン構造として、音の出ないスピーカーの一部などが欠けている超薄型カード電話対応のバイブレイション構造または、音の出ないベル式のバイブレイション構造の携帯電話バイブレイション説明図。
【図２３】2001年7月22日まだ、2002年の10月末に熱吸収率の良い黒い炭素シリコンソーラーパネルは、確かに考えるが、原本明記書き込みはその当時一切してなかった。理由として、黒のソーラーパネルは、誰が考えても当たり前な結果事実で有るからで有った。更に、この当時永久電池及び大型永久電池は、既に開発技術として先発明及び先考案して有ったのは図87から図89は自動電池この当時の永久電池の簡単な説明文章図で有り、無試験の為、実際どれだけの永久電池能力が、解らず予備発電準備の為に二つ折ソーラーパネルを容易して有った事実説明図。
【図２４】2001年8月28日後書きのアンテナイヤホンで有り、2001年7月末から8月に掛けての超小型の永久電池名から盆過ぎから自動電池に名前を換えたアンテナ自動電池式のイヤホンで有り、携帯電話の必需品としてこの頃先考案先発明して有った後書きの先知的所有財産説明図。
【図２５】2001年8月28日後書きの携帯電話の二本アンテナシステムで有り、2001年3月から4月に掛けての液晶無線装置は、通常は音声だけの無線機を映像と音声と文字映像の遅れる無線装置に換えて、地震災害に対応出来る無線装置を受けて、無線電波で、家電製品のスイッチ切り替えなどを考えていた頃の携帯電話機能とデザイン説明文章図。
【図２６】2001年8月28日液晶パネル付きのデザイン電話で有り、緊急連絡ワンタッチスイッチボタン連絡出来るアンテナ式の自動電池内蔵型の携帯電話GPS位置が液晶画面の地図で確認出来る液晶パネルワンタッチボタンの出入りのアンテナ持ち運び可能なデザイン重視の置き方電話説明文章図。コメント2008年8月11日PM20時1分25秒夕食の虎の爪入りカレーを食べてから再び書き始める美馬牛カンキチ。
【図２７】2001年6月10日この当時北海道道庁の借金全額返済に対して携帯電話の会社設立を考えていた頃 の携帯電話のシステム及び使用用途説明と携帯電話の衛生GPSのこの頃の別の有り方の説明文章図。
【図２８】2002年2月21日北海道道庁広報広聴第3ー368号の墫野和夫の先知的所有財産の先考案及び先発明及び後書き先考案先発明原本の郵便物受理説明書図。
【図２９】2002年2月16日この当時既に液体マグネシウム使用の水発電機は、技術確立してたと現在でも、水発電機機能説明は、正しいと思ってます。所が燃料電池の液体マグネシウムを使用しなければ、絶対に成り立たない発電機で有り、水発電機を一日も早く、この頃は、特許書きを代行してくれる人を探していた頃でも有り、燃料電池発電の、液体マグネシウムなどの、特許者と話し合いがうまく行かなかった場合の為の次の、無害無給油連続作動発電機を、子供の頃から説明の付いていない雷発電に対しての磁波が関係している事だけは、気が付いていたのですが、誰ひとりあれだけの発電を、燃料電池の液体マグネシウムを使用しないで行った人はこの頃も、確認していなかったのも事実です。その為、今後の北海道と日本の全国の発電方法に対して高価な燃料電池発電は、道民と庶民の生活を苦しめるだけで有る為、雷発電の原理を踏まえた考えに基ずく発電機を視野に入れて考えて行く事を北海道知事に連絡したのだが、知事本人からの手紙は、一度も現在まで無い。更に、この頃は墫野和夫自身が、見よう見真似で、特許書きする事を決心していた頃で有り、どのようにかして、北海道知事達に理解してもらうかが、課題で合った。更に、おそらく電気科を出て専門学でなければ、理解出来ない学問は、現在でも無料の特許提出しか手立ては、ないのかと考える次第で有り、説明文章図となります。
【図３０】2002年3月22日北海道道庁広報広聴第3ー410号の墫野和夫の先知的所有財産の先考案及び先発明及び後書き先考案先発明原本の郵便物受理説明書図。
【図３１】2002年3月16日魚眼レンズととつレンズの合わせレンズに対しては2001年2月から3月
【図３２】先考案先発明の後書き文章で有り、携帯のカメラ取り付けは、2001年2月上旬の先発明先考案で有り、現在も誰の先発明なのか携帯電話に聞いても教えていただけないのが、現在の携帯会社の事実で有り、この頃、使いやすい携帯カメラレンズの有り方として2002年3月16日この日に現在のカメラ取り付け状態まで、先考案先発明と言いたい2008年8月11日インターネツトも無くテレビ電源を切って過去のCDを聞きながら、ふと昔随分昔そして、忘れかけていた過去を再び目覚ましたのも、1999年のNHK放送の国会議員の現在の子供達に今までの国と地方の借金返済をさせる発言。もう二度と忘れないだけでなく、特許庁及び経済産業省及び文部科学省に対して先発明の保護の説明と法律の事実上の現在の先発明無視の二つの先発明に対しての保護の有り方を、今度こそ、法の番人そして東京と言う都の法の番人にこれから将来と未来を兼ねて、今度こそ聞かなければならない、弱者社会と関西貴族社会と関東貴族社会の実際資産に基ずく通常生活権介入による、弱者社会の通常生活低下状態を、国と地方が、守れない現状事実に対して北海道民財産としての弱者社会自立の為の永遠の弱者社会を守る事を目的とした財団を作り、自然回復を含めた海外の弱者社会保護の為の和を日本から旅発てる事をこの先知的所有財産の文章を通じて再び、美瑛神社の片隅の夢の願い袋を永遠の戦争が無い自立出来る社会作りへ先知的所有財産の永遠の人々の守りになり得るよう再び努力の神と共に少しでも平和で有る事を再びここに文章説明図として掲げる。
【図３３】2002年3月17日携帯電話のコンパクト化の為に考えたカメラデザインで有り、未来の化粧技術が進化した時の為の携帯と化粧箱を合体したこの頃の携帯電話説明文章図。
【図３４】2002年3月17日携帯電話の回転式を説明した化粧箱付きすなわち2重化粧箱の説明文章図で有る。
【図３５】2002年3月17日この頃、2001年2月上旬の携帯電話カメラなどを書いて少なくても北海道知事に手紙を出して無かったあの頃の先発明150件近く無駄にした先発明を悔やみ、追加カメラ技術として書いて有ったカメラデザイン説明文章図。
【図３６】2002年3月18日現在の携帯にも言える携帯カードの接続方法として、携帯の外部電源引き込み口に磁気読み配線を取り付けたカード携帯電源口取り付けのカードアダプタ取り付け状況説明図。
【図３７】2002年3月20日携帯電話に超小型無線リモコン機能の取り付けた二本アンテナ後書き携帯電話説明図。
【図３８】2002年3月27日北海道道庁広報広聴第3ー412号の墫野和夫の先知的所有財産の先発明及び先考案原本及び後書きの先発明原本と先考案後書き原本郵便物受理説明書図。
【図３９】2002年8月7日北海道道庁広報広聴第3ー136号の墫野和夫の先知的所有財産の先発明及び先考案原本及び後書きの先発明原本と先考案後書き原本郵便物受理説明書図。
【図４０】2002年8月27日北海道道庁広報広聴第3ー147号の墫野和夫の先知的所有財産の先発明及び先考案原本及び後書きの先発明原本と先考案後書き原本郵便物受理説明書図。
【図４１】2002年8月29日携帯電話のパーツ交換型のソーラーパネル取り付け型自動充電池で有り、携帯電話本体にも超小型充電池内蔵になっている構造説明文書図。
【図４２】2002年8月29日この当時のまだ2連の表MD止まりの文章説明図と腕時計型の超小型情報ストックカードまたは超小型携帯電話説明で有る。
【図４３】2002年8月29日複数情報カードの自動電池式の胴バンド型の超小型の世界最小の情報処理装置説明文章図。
【図４４】2002年8月30日携帯電話などにストックした情報をウイルス防御の為携帯電話情報処理転送する為の家電スキャナ内蔵超小型ロボットで有り、このロボットの特性は、普段は、窓を眺める独特の特徴説明は、後に紹介説明します尚説明文章図となります。
【図４５】2002年8月30日再び後書き説明になった携帯電話の携帯波による家電製品及び室内の照明及び冷暖房設備など電気電波関係の携帯波スイッチ切り換え説明文章図。
【図４６】2002年8月31日携帯電話と2連MDの収納型を説明した図で有る。
【図４７】2002年9月20日書き間違えのライトカラー色ライン装置の自動充電池内蔵の水糸を変わりにカラー色ライトライン装置によって細い線を照らして土木作業の無駄を無くす技術説明後修復文章説明図で有る。2002年9月20日テレビ機能の一つの説明が有るが、これらに対しても携帯液晶確認及び携帯設定が出来るが、誕生日メッセージビデオ作成なども携帯電話からテレビ録画録音再生装置のタイマー作動などによって行える装置説明文章図。
【図４８】2002年9月20日留守番電話の文字メッセージの液晶カラー設定色分けによってメッセージの相手が分かる携帯電話システムの紹介など他の説明文章図。
【図４９】2002年9月18日軽量歯車説明が書かれているが穴空き金属軽量歯車は、今後の課題になる、理由は、風車などの歯車を鋼鉄使用にした軽量歯車装置などが、実際に使用される時代更に、船の穴空き軽量歯車装置導入または、車のミッション部など、機械各部の鋼鉄軽量化を図る為の空洞バランス装置設計は、今後課題になると思われる更に、軽量セラミックの紹介文章説明図。
【図５０】2002年9月26日北海道道庁広報広聴第3ー183号の墫野和夫の先知的所有財産の先発明及び先考案及び後書きの先発明原本と先考案原本の郵便物受理説明書図。
【図５１】2002年9月24日携帯電話のバーコード暗号登録制として有る携帯電話の使用本人確認の有り方と本人確認照合の有り方説明文章図。
【図５２】2002年9月24日後書き原本で有り2001年6月から7月に掛けてのゲーム主人公の色合い設定または、着ている服のデザインを換える事のゲーム進行パーツ取り替え型ゲーム方式の後書き説明文章図。
【図５３】2002年9月24日山岳ヘリコプターシステムと2連MDを使用した電波連絡型のゲームシステム説明と出張山岳ヘリコプター内蔵ゲーム紹介などの説明文章図。
【図５４】2002年9月25日今回の多機能モデル携帯の原本図の一つで有り、図34なども今回のデザイン携帯の原本デザイン使用による今回の携帯電話デザイン説明で有る。
【図５５】2002年9月25日MDの表裏説明の書かれている携帯電話などのゲームの有り方の説明文章図で有り、リースゲーム説明文章で有る。
【図５６】2002年10月2日北海道道庁広報広聴第3ー188号の墫野和夫の先知的所有財産の先発明及び先考案及び後書きの先発明原本と先考案原本の郵便物受理説明書図。コメント2008年8月12日PM真夜中24時11分31秒わりかし掛かる先知的所有財産の説明文章図で有り美馬牛カンキチ夜食を食べて眠る事とする。2008年8月12日AM9時37分57秒秋晴れの中大雪山白雲に陰り消え行き大地と空と水と光りの和を見るされど、旅人たちは消えし時間を語りし虫たちだけが静粛なるこの地に時を奏でる。美馬牛カンキチ
【図５７】2002年10月21日北海道道庁広報広聴第3ー217号の墫野和夫の先知的所有財産の先発明及び先考案及び後書きの先発明原本と先考案原本の郵便物受理説明書図。
【図５８】2002年11月5日北海道道庁広報広聴第3ー249号の墫野和夫の先知的所有財産の先発明及び先考案及び後書きの先発明原本と先考案原本の郵便物受理説明書図。
【図５９】2002年10月30日後書きで有ったが1999年春頃か2000年春頃当時のIDO電話会社に返信用の手紙に通常ソーラーパネルとただの振り子装置によって通常の普通のダイナモを手振り回転作動させて発電して電気充電する事の出来る装置を当時は企業が、国民を守って国と地方の全額借金を、いとも簡単に払って、永遠に国と地方を守り続けるのが、企業だと信じていたのですが、いくら発っても連絡も無く、国と地方は困る場かり、つまり企業に財産を提供すればするほど、国民ばかりか国と地方の財政悪化のしか有り得ない事実に気が付いて、ソーラーパネル付きの手振りダイナモ発電方法を返していただけるように手紙をIDO電話会社に書いて出した時の控えで有り、その時の説明文章図で有り、この時の手振りダイナモ発電方法は、自分が20歳頃、既に考えて有った時計の自動巻きの振り子を改良した時計の振り子型のダイナモ発電時計の先考案が有ったから直ぐに、書いて出せたのですが、その後、既にセイコー社で、世界特許認定の知らせが、新聞に載り失敗したとこの時気が付いても、既に、遅い事態つまり、20年以上前に自動巻き時計の手振り型ダイナモ発電方法を既に、墫野和夫が、先に考えて有った財産だと主張しても、証拠の無い発明は、裁判所では、取り扱いませんその為事実上、墫野和夫の負けが確定するわけです。ただし、ソーラーパネルとダイナモ手振りのダブル発電の為変換を求めてた別の考え型が有るため変換を求めたのが事実で有り説明文章図。従って、自動電池及び2連振り子型自動充電池は半永久全自動連続ダイナモ回転作動発電機関の説明で有り、別の特許または別の発明の説明になる説明文章図。
【図６０】2002年10月23日携帯電話のタッチパネル操作説明と、携帯電話のリモコン二本アンテナは、この当時のバブル崩壊を打開する為の、携帯電話に画像確認出来る無線リモコン装置を取り付けた後書き説明の文章図。
【図６１】2002年10月21日当時の携帯電話の情報を多くストックする為に、カセットテープの裏表の両面に収録再生出来るシステムをこの頃考えていた時の説明文章図。
【図６２】2002年10月20日携帯電話のテレポーテイション技術応用とゲームスタイル進行部分の説明とテレビ画像の別の区分け文章説明図。
【図６３】2002年10月18日この当時、電気配線一本新しく変えなければ、著作権上の権利侵害ただし、勝手に作って販売した場合となるが、2008年8月12日現在石綿が使用出来ない現状、手間がかかるが、銅線にグラスフアイバーとゴムの二重絶縁配線などの黒の配線に透明色のデザイン絵によって配線区別をする為の工夫配線説明文章図。
【図６４】2002年10月23日北海道道庁広報広聴第3ー225号の墫野和夫の先知的所有財産の先発明及び先考案及び後書きの先発明及び先考案の原本の郵便物受理書図。
【図６５】2002年10月13日三菱が、ロボットの最初ならば、つまりテレビの最初の報道ならば著作権と最初の特許権(モーター使用及びリモコン使用など他)この場合、特許切れに対しても、安い著作権価格が存在して有り、無断では作って利益を上げる事が出来ないが、墫野和夫としての考え方だが、今後著作権物の一番多いロボットの先知的所有財産書きは、出来ても実際にロボット事業などは、もめる事も有り得る状態が、日本国内の現状で有り、携帯電話の絵文字連絡は、メール文字連絡とは異なる連絡方法で有り、今後日本国内の携帯会社の特許公開義務の法律義務化を推し進めなければ、都道府県市町村区と国の借金全額返済と自動電池による電池税など対策などの効果を目的とした国と都道府県市町村区保護の財政の有り方事態を話す時が来たのではないかと考える次第の説明文章図。
【図６６】2002年10月12日この当時9月から10月にかけて携帯電話の内部構造が、余りお金がかかり、過ぎる為、映像回路部品と音声回路部品の一部だけでも、他とは異なる部品を考えていた頃で有り、この頃既に、圧電素子4電子磁気分割装置の電気中から電気抵抗を取り除く装置を先考案先発明文章を道庁に提出し更にネオンと充電池素子合成のIC回路チップも、北海道道庁に先発明原本提出として有ったが、残る圧電素子のみの回路使用と充電池素子のみの回路使用は、既に北海道道庁へ提出済みで有った、さすがに、全て書き換えるまでには、今だたどり着けないのが現状で有り、磁気体にも、機械の磁気記憶書き込みの磁気物質体を圧電素子磁石体磁気使用の説明文章図。
【図６７】2002年10月12日圧電素子磁石体アンテナ説明で有り、この当時先にネオンガスと充電池素子体の有機ELのテレビ公開を先に越されたのが現状で有るが、他の方法で、テレビ画像の修正技術は、他では無理なのか試験無しで有るが、体に電波を通す事で、ゴーストが消える事実を知り得て為、圧電素子磁石体アンテナを考案した時の説明文章図。
【図６８】2002年10月11日この当時砂鉄採取船を書いて有るが水発電機船で有り、現在なら間 違いなく、金になる事業だと言える例えば古い船を改造した砂鉄採取船ならば金になるのは間違い無い時代と言える。更に圧電素子4電子磁気分割方式は、更に省電気消費技術へ先発明証明の原本と共に進む文章説明図。コメント2008年8月12日昼PM12時38分14秒昼食の残りカレーを食べ布団を干し再び書き始める美馬牛カンキチで有り、大雪山今だ霞み雲に陰り夏の日を薄雲と共に楽しんでいるようなそんな風に見えた美馬牛市街地カンキチ。
【図６９】2002年10月8日圧電素子磁石体の磁気記録を書いた文章で有り、アンテナの形状デザインが書いて有る2002年10月12日圧電素子磁石体アンテナ説明も含んだ文章説明図。
【図７０】2002年10月9日北海道道庁広報広聴第3ー193号の墫野和夫の先知的所有財産の先発明及び先考案及び後書きの先発明及び先考案の原本郵便物受理証明書図。
【図７１】2002年9月19日の圧電素子磁石体を使用した圧電素子中間磁気素子体に対してこの頃は、圧電素子中間陽電子配線と圧電素子中間陰電子配線の区分けをしていない頃の圧電素子配線説明で有り、既に電気中の電気抵抗を圧電素子磁石分割配線説明によって電気を磁石力の強い電気と磁石力の弱い電気に分ける事によって電気の熱抵抗を電気中から容易無く取り除く事が、出来る説明文章図。
【図７２】2002年9月27日携帯会社を北海道庁と共同設立して国と都道府県市町村区の借金返済予定と水発電機の海外売電利益によって、国と地方の借金全額返済予定を既に決めて北海道知事充てには書いて出して有った説明文章図。
【図７３】2002年9月27日携帯電話の複数カラー色ダイオードIC映像文字回路採用によって文字の色を変える携帯電話システムの説明文章図で有る。
【図７４】2002年9月27日携帯電話の1999年から2002年の携帯電話アイテムの考案作品説明一覧図。
【図７５】2002年9月27日携帯電話アイテム2001年から2002年に掛けての携帯電話のシステム紹介一覧図。
【図７６】2002年9月29日山岳ヘリコプターを使用した電波中継基地の後書き説明図。
【図７７】2002年9月29日後書きで有る2000年当時、バブルが始まり、北海道庁の直轄のテレビ局と北海道の市町村直轄のテレビ局を予定して北海道知事並びに北海道の各政治団体と旭川市それぞれに北海道民間衛生デジタル放送時代に対応たテレビ局作りを依頼してたのも事実で有り、バブル崩壊をきっかけに今度こそ国民一人一人の対話によって、国作り及び都道府県市町村区作りを未来に残せる財産作りの話合いを進める為の北海道民間衛生デジタル放送を進める事の為の説明文書図。
【図７８】2002年10月30日北海道道庁広報広聴第3ー244号の墫野和夫の先知的所有財産の先発明及び先考案及び後書きの先発明の先考案の郵便物受理書図。
【図７９】2002年10月2日ビデオまたは携帯電話のカセットテープなどの両面表裏圧電素子磁気記録録音録画再生技術説明と漸く辞典を調べて画像素子のネオンガスと充電池素子の合成の映像IC回路チップとして活用するのが目的だった映像回路素子技術紹介文章説明図。
【図８０】2002年10月2日テレビビデオなど、新聞広告など、ビデオが三菱当時北大教授のうわさが流れその為、2008年8月10日現在でも、パンフレット等に特許明示されてない為、現状は、ソニー及び日立及びナショナル及び他の会社が、ビデオの莫大な特許料金を、この頃の三菱の北大教授に支払っていたとしか考える事が出来ないのも現在の特許法の特許明示または表示の義務化をしない為、ウソで有ってもそのまま公開上書いたままの情報が事実として流れるのが日本の国の企業及び大学の特許公開事情どうでも良いの考え方しか当たらない事実上の説明で有り、この為特許者を調べるだけで余分な無駄金を国民に使わさせる日本の特許法の事実説明文章説明図で有り、その為、違う表裏両面のMDタイプの録音再生 腰ベルト式をこの頃考えて有った財産の説明文章図。
【図８１】2002年10月2日DVDを作らずネオン充電池IC回路チップと圧電素子体IC回路チップと充電池素子体IC回路チップなどを使用した表裏両面MD対応技術と圧電素子4電子磁気分割装置使用の電気中の電気抵抗を取り除いた電気だけで電気製品の画像を奇麗に見たり電気製品に無理を掛けない使用に基ずく電気回路説明文章図。
【図８２】2004年5月31日及び6月16日2000年当時木白子のペンネームで、北海道知事充てに手紙を出していた確認と北海道道庁広報広聴第3ー149号の墫野和夫の先知的所有財産の先発明及び先考案及び後書きの先発明及び先考案の郵便物受理説明文章図。
【図８３】2000年秋頃八雲町近くの高速道路の工事現場から木白子のペンネームだけで、北海道知事へバブル崩壊後のこの当時北海道庁運営の障害者向けの携帯電話、バスの時間などを、携帯電話テープ音声またはバイブレイション大文字携帯液晶画面連絡方法と液晶画面幅だけ広くした携帯電話と携帯電話音声をスロー音声にした方式を取った携帯電話、そしてソーラーパネルマイクなどを頼んで見たが、北海道で事業して、北海道道庁の借金全額返済どころか数年後になって、テレビから携帯電話機能発表が、別の会社名で出てくる有りさま、結局先知的所有財産の先発明証明事実で訴えて行かなければ、国と都道府県市町村区を救う手立てが無い事に気が付き今回の先知的所有財産書きとなる経緯説明文章図。
【図８４】2000年秋同じく八雲町近くの現場から墫野和夫が、20歳頃考えて有った手振りダイナモ発電方式つまり時計の自動巻きを改良した発電池装置とソーラーパネルを一体化した発電池装置を主体とした障害者向け携帯電話の超薄型発電装置をバブル崩壊をくい止める為に北海道知事に依頼した時の手紙文章図で有ったが、現在も連絡無しの状態が続いているが、先発明事実に基ずいて、今度こそ国と都道府県市町村区の全額借金返済と自立出来る国作りと都道府県市町村区作りを必ず成し遂げてから、勝手の夢の続きの中国へ生活の場を求める事を再びここに書く説明文章図。
【図８５】2003年9月24日北海道道庁広報広聴第3ー363（１）から（４）号の墫野和夫の先知的所有財産の先発明及び先考案及び後書きの先発明及び先考案の郵便物受理説明文書図。
【図８６】おそらく2002年から2004年の3月27日携帯会社二人にソーラーパネル付発電池の返還手紙文章を書いて出した時の近くのローソンコピー写し文章説明図。
【図８７】2001年4月29日後書き名称の永久電池2001年4月30日付けで、現在の自動電池この当時の永久電池説明がされている説明の為の文書図。コメント2008年8月12日PM16時34分56秒漸く図107まで後もう少し先発明の証明書無しでは、特許提出した場合でも、後発明事実に変わらない為、おそらく特許先提出より先発明と先発明証明書の事実を否定出来ない事から、例え特許法で先提出優先と言えども、裁判官の先知的所有財産の年月日郵便物受理説明書の先発明財産証明の先財産権主張を後発明が、財産優先権として覆す理由は、確かな証拠を持ってなければ覆る事が、無いのが我々庶民の事実確認の判断に当たる理由と言える。残念なのは、裁判無しでは、先発明権利が帰って来ない日本の特許法事情を全国の裁判官事情説明を聞かなければおそらく現在の国と都道府県市町村区の借金苦事情は、国民一人一人の声を聞かないばかりか先発明優先権より後発明でも先提出優先権を主張する個人の財産権を守る観点の裁判を始めなければならない事は、2000年~2008年現在まで、特許法改正の兆しすら無い現状は、墫野和夫自身が、裁判を掛けない限り国と都道府県市町村区は、救えないのか再び法の番人に聞くばかりか、世界の特許法の有り方すら考え無ければならない状態のせっぱ詰まった状態果たして、他はどのような解決策を持っているのか墫野和夫自身聞かなければこの世は本当に平等つまり最低生活暗い永遠に守って行く誓いも無くただ不平等の世の中を夢を見ているのか本当に法の場で聞くしか無い時まで、墫野和夫自身を誘うかの用に連れて行くのが止め用の無い現実だけだと気が付くだけです。  美馬牛  ペンネームカンキチ この間まではニヤンそして古い木白子の名前我を問う
【図８８】2001年5月17日後書きの2001年手振りダイナモ発電では、使用出来ないくて新たに振り子装置を、ゼンマイの全自動作動と振り子歯車装置の両端に電磁石反発装置スイッチ切り換え出来る構造の全自動作動出来る特に充電池は、この当時最速充電池の水素ニッケル充電池の使用によって連続作動発電を求めさらに2001年5月17日確定になる二つの自動電池を使用した交互の増幅振り子連続作動によるダイナモ回転作動出来る電気増幅作動装置型の連続作動発電池は、この頃既に、完成されていたのが現実事実説明なので有るが、後のゼンマイ装置にワイヤを二本入れる技術そして、圧電素子4電子磁気分割装置の2002年9月の先発明登場そして2001年2月から3月に掛けての圧電素子磁極切り替えインバータ制御しか高速作動不可能レールモーター装置の導入そして、水素ニッケル充電池を上回る水素中の重水素の量の取り出し調整した半軽水素ニッケル充電池の投入更に通常ダイナモの中心部をくりぬき其処へ軽水素内蔵圧電素子磁石体を入れた構造のダイナモ装置によ  る増幅発電ダイナモ登場などの技術投入になってる2008年8月12日現在では、半永久連続作動の自動充電池または2連振り子型自動充電池の超高速発電池が登場する事になるこの当時の永久電池と現在の自動電池説明文章図。
【図８９】2001年4月30日静岡県の磐田市から帰って来てから3ケ月分全然書かなかった先発明説明及び先考案の説明を簡単に纏めた先知的所有財産の簡単な先発明説明を書いて、北海道知事に証明してもらって、北海道及び国及び都道府県市町村区の全額借金返済活動を本格的に終わりの無い時が始めるしか無かった日本の事実社会で有り、永久電池の一部説明が、書かれている。この部分が永久電池の心臓部に当たる為急いで手書きで書いていた時を今考えてます。そして、最初の自動電池後書き原本文章説明図。
【図９０】2000年の秋頃北海道の八雲町の近くで出した木白子のペンネームだけで当時手紙を出したのは、バブル崩壊後の対策としてデジタル衛生放送局を都道府県市町村区で持ち得て、都道府県市町村区の携帯会社この当時は、北海道庁と市町村の衛生デジタル民間放送局を北海道知事に依頼していたのが事実で有りそのサンプルの原本写しで有り、道民一人一人の会話が、無ければ北海道の借金全額返済などは不可能で有り、図101までの11枚衛生デジタル民間放送のサンプルとして書いて旭川市及び北海道知事と北海道の政治各団体に出したのだが現在市町村レベルは、無理の状態になっている文章説明図。
【図９１】2000年秋頃の北海道市町村運営の民間衛生デジタル放送を作り挙げてバブル崩壊後の北海道の作り直しとして道民一人一人の声を聞きながら北海道庁の借金全額返済を考えてた頃の文章説明図。
【図９２】2000年理想的な北海道民間衛生デジタル放送は、その場その場の事実対応が出来る時代を目指して例えば旭川市場の生の放送など、この当時の出来る範囲は、テレビ感覚で有ったが、携帯電話のテレビで、スーパーまたは市場などが、解る北海道民間衛生デジタル放送の本当の庶民感覚のテレビ局を目指していたのが、この当時の、テレビ局を道民一人一人の財産感覚で行って行く予定を説明した文章図。
【図９３】2000年、この当時活火山が増えていた事で、山入りだった地殻活動そして、この後
【図９４】地震は、続くのだが、現在予定している磁場(磁波)計測機は、無害無給油連続作動発電機を、積載した電気自動車及び電気トラクター及び電気建設機械及び電気船無害無給連続発電機積載列車及び電気プロペラ飛行機など、電気山岳ヘリコプター観測機器などに磁波計測機を無料で積載して磁波の動きを24時間態勢で監視しない限り、地震の細かい予知は不可能に近い、確かに地震が、起こる前に磁波の乱れなど、確かに異常現象確認出来る時も有るが、実際の地震予知に至らないのは磁波の正確な移動データーなどが解らないばかりか、地震計測器は、確かに有っても地震の予知利用には程遠い存在にしかならず、いち早い水発電の特許は、今年11月まで、特許庁に対して裁判を掛けない限り絶対に海外の審査つまり、同じ水発電機の存在すら、本人に連絡しない態度を取ってるのも、特許庁で有る。つまり、実用新案の、実願2004ー007250は、技術評価書料金支払い済みで有り、特許提出だった特開2003ー328925は審査請求料金を支払い済みで、海外の審査請求は一切しない無いまま、同じ特許物件の調査もしないまま拒絶無効審査で有ったのも事実で有ったのが、現状で有り、問題なのは、今後増え続ける原子力廃棄物処理技術を含めた都道府県市町村の原子力廃棄物処理費用を含めて日本の国と都道府県市町村区は、他の発電電気エネルギー無しで、未来どのようにして、国と都道府県市町村の借金全額返済の方法は、何が有るのか結局墫野和夫自身が、裁判を掛けて戦うしか方法は、無いのが現状で有るその為、実願2004ー007250の技術に対して海外に一切無ければ、特許庁の無効審査をした理由が、うなずけない事になる。ただし、墫野和夫の特許提出前に海外に実用新案の技術評価書の査定が下れば、先に海外で、特許提出が有ればそれは、墫野和夫のが、特許にならない理由になるが、墫野和夫の特許提出及び、先知的所有財産の先発明事実の優先権主張は、国と都道府県市町村区と考えて行かなければ今後いずれにしても、借金区だおれまたは、原子力廃棄物だおれが間違い無しの状況なのは、間違い無しの文章説明図。
【図９５】2000年のバブル崩壊の処理対策として、北海道民間衛生デジタル放送を踏まえた北海道の借金返済を道民一人一人の観点から考え直す為、テレビ宣伝のキヤラクター説明などを書き添えた北海道知事宛の嘆願書だった。
【図９６】2000年秋頃北海道知事及び旭川市長及び北海道の書く政治団体宛に出した北海道民間衛生デジタル放送のテレビ内容を書いた文章説明図であったのだが、本人は本当に、解ってくれたのかは今ださだかで無い北海道民間衛生デジタル放送の文章説明図。
【図９７】2000年秋頃同じく北海道知事と旭川市長と北海道政治団体宛に北海道民間衛生デジタル放送として、2000年当時ならまだ間に合うと思ってテレビの放送の有り方を書いて出してお願いして有った北海道民間衛生デジタル放送の説明文章図。
【図９８】2000年秋頃同じく北海道知事と旭川市長と北海道政治団体へ北海道民間衛生デジタル放送の表題または番組構成上の有り方を書いて北海道の有り方を北海道民間衛生デジタル放送の上で、道民一人一人の話し合いの場を設ける市町村レベルのテレビ局作りを考えていた頃の北海道民間衛生デジタル放送を説明した文章図。
【図９９】2000年秋頃北海道八雲町近くの高速道路の現場から北海道知事そして旭川市長更に北海道政治団体宛に出した北海道民間衛生デジタル放送の番組表の説明文章図。
【図１００】2000年秋頃北海道八雲町地殻の高速道路の現場から北海道知事宛更に旭川知事宛更に、北海道政治団体宛に北海道民間衛生デジタル放送の有り方として文章説明した文章図。
【図１０１】2000年秋頃北海道八雲町近くの高速道路の現場から北海道知事そして旭川市長そして北海道政治団体宛に出した北海道民間衛生デジタル放送の有り方を説明した文章図。
【図１０２】平成15年1月6日岩手県胡四王簡易郵便局から墫野和夫の先知的所有財産の確認の為に東京都日本消費者連合殿へ送ったゆうパック領収書図。
【図１０３】平成15年1月6日岩手県胡四王簡易郵便局から墫野和夫の先知的所有財産の確認の為に東京都NHKふれあいセンーター殿へ送ったゆうパック領収書図。
【図１０４】平成15年1月6日岩手県胡四王簡易郵便局から墫野和夫の先知的所有財産の確認の為にアムネスティインターナショナル支部殿へ先知的所有財産を送ったゆうパック領収書図。
【図１０５】平成15年1月6日岩手県胡四王簡易郵便局から墫野和夫の先知的所有財産の確認の為に東京都日本共産党委員会志位和夫殿へ先知的所有財産を送ったゆうパック領収書図。
【図１０６】平成15年3月20過ぎ頃日岩手県胡四王簡易郵便局から墫野和夫の先知的所有財産の確認の為に東京都社民党本部土井高子殿へ先知的所有財産を送ったゆうパック領収書図。
【図１０７】平成16年1月4日旭川市中央郵便局から墫野和夫の先知的所有財産の確認の為に東京都民主党本部民主党党首殿へ先知的所有財産を送ったゆうパック領収書図。
【発明を実施するための形態】
【００２９】
以下本先知的所有財産先発明の試作実施の形態を図1から図5に基ずいて説明する。
【００３０】
図1に於いて、(1)は多機能携帯電話装置で有り、(2)携帯アンテナで有り、(3)テレビアンテナで有り、(4)は液晶装置で有り、(5)は液晶カバー装置で有り、(6)はカメラで有り、(7)はマイクで有り、(8)は、携帯操作スイッチボタンで有り、(12)は新登場のゲーム直進ボタン装置で有り、(13)は、新登場のゲームバックボタン装置で有り、(14)は新登場のゲームジャンプボタン装置で有り、(15)は新登場のゲーム戦闘ボタン装置で有り、(40)は新登場の携帯電話ライト装置構造によってゲーム対応携帯装置で有る。
【００３１】
図2に於いて、(9)は新登場の腰ベルト式表裏両面MD装置型のアンテナゲーム作動装置のゲーム電波を受信してゲーム進行する為のゲーム電波受信回路基板装置で有り、(10)は、新登場の半軽水素ニッケル充電池Aで有り、(11)は、新登場の半軽水素ニッケル充電池Bで有り、(12)は新登場のゲーム直進ボタンで有り、(13)は、新登場のゲームバックボタンで有り、(14)は新登場のゲームジャンプボタンで有り、(15)は新登場のゲーム戦闘ボタンで有り、(21)は新登場のテレビ回路プラス合成ネオン充電池素子ICチップ回路で有り、(39)は新登場の携帯電話圧電素子磁気読み込みスキャナ装置で有り、(42)は新登場の軽水素内蔵のブラック炭素シリコン型そーらーパネルは世界ソーラーパネル市場最大発電量が望めるソーラーパネル装置説明で有り、(44)はゲーム進行次元パターン切り換えボタンを備えた最新型の携帯電話装置説明。   
【００３２】
図3に於いて、(17)は新登場の世界最速充電補助装置の圧電素子4電子磁気分割装置で有り、(18)は新登場の圧電素子スプリング打撃発電に欠かせない鉄球装置で有り、(19)は新登場のスプリング軽水素練り合わせ合成の聴講圧縮圧電素子磁石体で有り、(20)は発生電子の圧電素子磁気誘導分離の銅板誘導体装置で有り、(22)は銅板発生電子誘導キャッチ体で有り、(23)は軽水素練り合わせ合成の高圧縮の圧電素子磁石体構造の圧電素子スプリング打撃鉄球発電装置説明で有る。
【００３３】
図3に於いて、(24)は従来通りの櫛型金属電極装置で有り、(25)は新登場のブラック炭素シリコン装置で有り、(26)は従来通りのN型シリコン装置で有り、(27)は新登場のN型シリコン内蔵の軽水素で有り、(28)は従来通りの電極装置構造の軽水素内蔵ブラック炭素シリコン装置説明で有る。
【００３４】
図4に於いて(16)は従来通りの携帯回路基板装置で有り、(29)は新登場の超薄型の軽水素内蔵の圧電素子磁石体入りの高出力ダイナモ装置で有り、(30)は振り子装置で有り、(31)は圧電素子4電子磁気分割装置で有り、(32)は新登場の半軽水素ニッケル充電で有り、(33)は振り子重り装置で有り、此の場合は、ダイナモ装置が厚さを増す度に振り子装置の重りは重くなる構造になり、ダイナモ装置は、軽水素内蔵圧電素子入りの高出力発電のダイナモ装置を使用する予定で有り、此の場合急速充電装置に、(31)の圧電素子4電子磁気分割装置を使用する事によって、自動電池及び自動充電池及び2連振り子型自動充電池構造以外の手振りダイナモ発電装置対応のダイナモ発電及び急速充電技術説明で有る。
【００３５】
図5に於いて(34)は新登場の圧電素子コイル無し配線磁極切り換えのインバータ装置作動出来るレールモーター装置で有り、(35)は従来通りのインバーター装置で有り、(36)は新登場の半永久連続作動発電池の2連振り子型自動充電池で有り、今まで欠点だったゼンマイ鋼板装置切れ対策の二本ワイヤ入り鋼板ゼンマイ装置の欠点克服と新登場の軽水素内蔵圧電素子入りダイナモ装置の発明で有り、更に世界初の電気中から電気抵抗を取り除く技術の発明によって今まで不可能だった通常温度の電気中の電気抵抗を取り除いた過去の超電導電気説明と異なる電気抵抗の取り除かれた超電導電気世界最速充電技術の発明と水素ニッケル充電池を改良した水素中の重水素取り除き調整の半軽水素ニッケル充電池の発明と(34)の新登場のレールモーター先発明技術の追加試作説明によって、(36)の新登場の2連振り子型充電池装置説明で有る。               
【００３６】
図5に於いて、(43)は新登場の腰ベルト型ゲーム装置で有り、(38)は新登場の裏表両面の卵型空洞ケースMD装置で有り、(37)は新登場の表裏両面MD取り入れ口装置で有り、(2)は新登場の携帯波アンテナで有るが、弱無線波でも利用可能な(43)の新登場の腰ベルト型ゲーム装置説明で有る。
【符号の説明】
【００３７】
1   多機能携帯電話
2   携帯アンテナ
3   テレビアンテナ
4   液晶        
5   液晶カバー
6   カメラ
7   マイク
8   スイッチボタン   
9   ゲーム回路基板
10  半軽水素充電池A
11  半軽水素充電池B
12  ゲーム直進ボタン
13  ゲームバックボタン
14  ゲームジャンプボタン
15  ゲーム戦闘ボタン
16  携帯回路基板
17  圧電素子4電子磁気分割装置
18  鉄球
19  スプリング圧電素子
20  電子磁気誘導分離装置
21  テレビ回路＆合成ネオン充電池素子ICチップ回路
22  銅板電子誘導キャッチ体
23  圧電素子
24  くし型の金属電極
25  ブラック炭素シリコンソーラーパネル装置
26  N型シリコン
27  軽水素
28  電極
29  超薄型軽水素内蔵圧電素子入りダイナモ装置
30  振り子装置
31  圧電素子4電子磁気分割装置
32  半軽水素ニッケル充電池
33  振り子重り装置
34  レールモーター
35  インバータ装置
36  2連振り子型充電池
37  表裏両面卵型空洞MD取り入れ口
38  表裏両面卵型空洞MD装置
39  スキャナ
40  ライト
41  緊急ワンタッチボタン
42  ブラック炭素軽水素内蔵シリコンソーラーパネル
43  腰ベルト型ゲームMD作動装置
44  ゲーム切り換えボタン
【図１】
2012170063.tif 000003
【図２】
2012170063.tif 000004
【図３】
2012170063.tif 000005
【図４】
2012170063.tif 000006
【図５】
2012170063.tif 000007
【図６】
2012170063.tif 000008
【図７】
2012170063.tif 000009
【図８】
2012170063.tif 000010
【図９】
2012170063.tif 000011
【図１０】
2012170063.tif 000012
【図１１】
2012170063.tif 000013
【図１２】
2012170063.tif 000014
【図１３】
2012170063.tif 000015
【図１４】
2012170063.tif 000016
【図１５】
2012170063.tif 000017
【図１６】
2012170063.tif 000018
【図１７】
2012170063.tif 000019
【図１８】
2012170063.tif 000020
【図１９】
2012170063.tif 000021
【図２０】
2012170063.tif 000022
【図２１】
2012170063.tif 000023
【図２２】
2012170063.tif 000024
【図２３】
2012170063.tif 000025
【図２４】
2012170063.tif 000026
【図２５】
2012170063.tif 000027
【図２６】
2012170063.tif 000028
【図２７】
2012170063.tif 000029
【図２８】
2012170063.tif 000030
【図２９】
2012170063.tif 000031
【図３０】
2012170063.tif 000032
【図３１】
2012170063.tif 000033
【図３２】
2012170063.tif 000034
【図３３】
2012170063.tif 000035
【図３４】
2012170063.tif 000036
【図３５】
2012170063.tif 000037
【図３６】
2012170063.tif 000038
【図３７】
2012170063.tif 000039
【図３８】
2012170063.tif 000040
【図３９】
2012170063.tif 000041
【図４０】
2012170063.tif 000042
【図４１】
2012170063.tif 000043
【図４２】
2012170063.tif 000044
【図４３】
2012170063.tif 000045
【図４４】
2012170063.tif 000046
【図４５】
2012170063.tif 000047
【図４６】
2012170063.tif 000048
【図４７】
2012170063.tif 000049
【図４８】
2012170063.tif 000050
【図４９】
2012170063.tif 000051
【図５０】
2012170063.tif 000052
【図５１】
2012170063.tif 000053
【図５２】
2012170063.tif 000054
【図５３】
2012170063.tif 000055
【図５４】
2012170063.tif 000056
【図５５】
2012170063.tif 000057
【図５６】
2012170063.tif 000058
【図５７】
2012170063.tif 000059
【図５８】
2012170063.tif 000060
【図５９】
2012170063.tif 000061
【図６０】
2012170063.tif 000062
【図６１】
2012170063.tif 000063
【図６２】
2012170063.tif 000064
【図６３】
2012170063.tif 000065
【図６４】
2012170063.tif 000066
【図６５】
2012170063.tif 000067
【図６６】
2012170063.tif 000068
【図６７】
2012170063.tif 000069
【図６８】
2012170063.tif 000070
【図６９】
2012170063.tif 000071
【図７０】
2012170063.tif 000072
【図７１】
2012170063.tif 000073
【図７２】
2012170063.tif 000074
【図７３】
2012170063.tif 000075
【図７４】
2012170063.tif 000076
【図７５】
2012170063.tif 000077
【図７６】
2012170063.tif 000078
【図７７】
2012170063.tif 000079
【図７８】
2012170063.tif 000080
【図７９】
2012170063.tif 000081
【図８０】
2012170063.tif 000082
【図８１】
2012170063.tif 000083
【図８２】
2012170063.tif 000084
【図８３】
2012170063.tif 000085
【図８４】
2012170063.tif 000086
【図８５】
2012170063.tif 000087
【図８６】
2012170063.tif 000088
【図８７】
2012170063.tif 000089
【図８８】
2012170063.tif 000090
【図８９】
2012170063.tif 000091
【図９０】
2012170063.tif 000092
【図９１】
2012170063.tif 000093
【図９２】
2012170063.tif 000094
【図９３】
2012170063.tif 000095
【図９４】
2012170063.tif 000096
【図９５】
2012170063.tif 000097
【図９６】
2012170063.tif 000098
【図９７】
2012170063.tif 000099
【図９８】
2012170063.tif 000100
【図９９】
2012170063.tif 000101
【図１００】
2012170063.tif 000102
【図１０１】
2012170063.tif 000103
【図１０２】
2012170063.tif 000104
【図１０３】
2012170063.tif 000105
【図１０４】
2012170063.tif 000106
【図１０５】
2012170063.tif 000107
【図１０６】
2012170063.tif 000108
【図１０７】
2012170063.tif 000109